(57)【要約】【課題】リモコンに表示している「年月日および時間」を自動的に補正でき、かつ安価な空気調和機を得ること。【解決手段】リモコン２の時間設定手段９が設定し、時間計測手段１０が時間計測を行った現在の「年月日および時間」を空気調和機本体１に送信し、空気調和機本体がそれを受信後、その時間計測手段４が「年月日および時間」より電源周波数に基づいて時間計測を行い、リモコンから「年月日および時間」の設定がされず、かつ送信されてくる現在の「年月日および時間」が空気調和機本体の時間計測手段が計測している現在の「年月日および時間」と異なる場合に、空気調和機本体の時間計測手段が計測している現在の「年月日および時間」をリモコンに送信し、その時間計測手段では計測している現在の「年月日および時間」を空気調和機本体からの現在の「年月日および時間」に基づいて補正するようにしたものである。【選択図】図１
2010060380.tif 000002
【特許請求の範囲】
【請求項１】
電源周波数を取り込む電源周波数取込手段と、リモコンからの信号を受信する受信部と、該受信部が受信したリモコンからの「年月日および時間」又は「月日及び時間」（以下、「年月日および時間」と称する）より前記電源周波数取込手段が取り込んだ電源周波数に基づいて時間計測を行う時間計測手段と、該時間計測手段が時間計測した現在の「年月日および時間」と受信部が受信したリモコンからの現在の「年月日および時間」とを比較し、両者が相違する場合に時間計測手段が時間計測した現在の「年月日および時間」を選択して出力する時間比較手段と、該時間比較手段が出力した現在の「年月日および時間」をリモコンに送信する送信手段とを有する空気調和機本体と、
「年月日および時間」の時間設定を行うことができる時間設定手段と、前記空気調和機本体に信号を送信する送信手段と、前記空気調和機本体からの信号を受信する受信手段と、前記時間設定手段が設定した「年月日および時間」又は前記受信手段が受信した空気調和機本体からの「年月日および時間」に基づいて時間計測を行う時間計測手段と、時間計測手段が時間計測した「年月日および時間」を表示する時間表示手段とを有するリモコンとを備えた空気調和機であって、
前記リモコンはその時間設定手段が設定し、前記時間計測手段が時間計測を行った「年月日および時間」を前記送信部が前記空気調和機本体に送信し、
前記空気調和機本体がその「年月日および時間」を受信後、前記空気調和機本体の時間計測手段がその「年月日および時間」より電源周波数に基づいて時間計測を行い、前記リモコンからの「年月日および時間」の設定がされず、かつ送信されてくる現在の「年月日および時間」が前記空気調和機本体の時間計測手段が計測している現在の「年月日および時間」と異なる場合には、前記空気調和機本体の時間計測手段が計測している現在の「年月日および時間」を前記リモコンに送信し、
前記リモコンはその時間計測手段が計測している現在の「年月日および時間」を前記空気調和機本体からの現在の「年月日および時間」に補正することを特徴とした空気調和機。
【請求項２】
前記リモコンは、前記空気調和機本体から送信された現在の「年月日および時間」を受信して補正した後、補正した「年月日および時間」を前記時間表示手段に表示することを特徴とした請求項１記載の空気調和機。
【請求項３】
前記空気調和機本体は、前記リモコンから送信された「年月日および時間」を記憶する記憶手段を備え、
前記空気調和機本体の時間比較手段が前記記憶部に記憶された当初の「年月日および時間」と時間計測手段が時間計測している現在の「年月日および時間」とから空気調和機の現在の使用期間または運転時間を計測し、その計測した現在の使用期間または運転時間を前記リモコンに送信し、該リモコンの時間表示手段はその現在の使用期間または運転時間を表示することを特徴とする請求項１又は２記載の空気調和機。
【請求項４】
前記空気調和機本体は、事前に設定された使用期間又は運転時間を記憶する記憶手段を備え、
前記空気調和機本体の時間比較手段が前記記憶部に記憶された事前に設定された使用期間又は運転時間に前記時間計測手段が時間計測している現在の「年月日および時間」が達したかどうかを判断し、達したと判断した使用期間又は運転時間をリモコンに送信し、該リモコンの時間表示手段はその使用期間又は運転時間を表示することを特徴とする請求項１又は２記載の空気調和機。
【発明の詳細な説明】
【技術分野】
【０００１】
本発明は、空気調和機本体とリモコンにて「年月日および時間」の時間計測手段を有した空気調和機において、リモコンの「年月日および時間」を自動的に補正することができるようにしたものに関する。
【背景技術】
【０００２】
従来、「年月日および時間」を計測し、計測した「年月日および時間」を表示することができ、その「年月日および時間」を他の指令データとともに機器本体に送信するリモコンがある（例えば、特許文献１参照）。また、リモコンの電池交換前に「設定データ」を空気調和機本体に送信しておき、リモコンの電池交換後、空気調和機から「設定データ」を受信することでリモコンの設定を再度行う必要がない空気調和機がある（例えば、特許文献２参照）。また、電波時計からリモコンの時間を再設定することができるリモコンがある（例えば、特許文献３参照）。
【０００３】
【特許文献１】特開昭６４−８５４９９号公報（第１頁、図２）
【特許文献２】特開２００１−２８９４９６号公報（第１頁、図１）
【特許文献３】特開２００２−４０１７８号公報（第１頁、図２）
【発明の開示】
【発明が解決しようとする課題】
【０００４】
従来の特許文献１に記載のリモコンでは、使用している間に計測している「年月日および時間」が発振子の誤差などにより、実際の「年月日および時間」と異なることがあり、そのために、手動で再設定を行う必要があるなどの問題点があった。
また、特許文献２に記載のリモコンでは、電池交換後に、電池交換前の「設定データ」を保持したとしても実際の「年月日および時間」と異なっていた場合には、再設定を行う必要があった。
そして、特許文献３に記載のリモコンのように、「年月日および時間」を再設定する手段として電波時計を用いた場合、安価なリモコンを提供できないという問題点があった。
【０００５】
本発明は、上記のような課題を解決するためになされたもので、リモコンに表示している「年月日および時間」を手動ではなく自動的に補正することができ、さらには空気調和機の現在の使用期間または運転時間又は予め設定された使用期間または運転時間に達したことをリモコンに明示することができる安価な空気調和機を得ることを目的とする。
【課題を解決するための手段】
【０００６】
本発明に係る空気調和機は、電源周波数を取り込む電源周波数取込手段と、リモコンからの信号を受信する受信部と、該受信部が受信したリモコンからの「年月日および時間」又は「月日及び時間」（以下、「年月日および時間」と称する）より前記電源周波数取込手段が取り込んだ電源周波数に基づいて時間計測を行う時間計測手段と、該時間計測手段が時間計測した現在の「年月日および時間」と受信部が受信したリモコンからの現在の「年月日および時間」とを比較し、両者が相違する場合に時間計測手段が時間計測した現在の「年月日および時間」を選択して出力する時間比較手段と、該時間比較手段が出力した現在の「年月日および時間」をリモコンに送信する送信手段とを有する空気調和機本体と、「年月日および時間」の時間設定を行うことができる時間設定手段と、前記空気調和機本体に信号を送信する送信手段と、前記空気調和機本体からの信号を受信する受信手段と、前記時間設定手段が設定した「年月日および時間」又は前記受信手段が受信した空気調和機本体からの「年月日および時間」に基づいて時間計測を行う時間計測手段と、時間計測手段が時間計測した「年月日および時間」を表示する時間表示手段とを有するリモコンとを備えた空気調和機であって、前記リモコンはその時間設定手段が設定し、前記時間計測手段が時間計測を行った「年月日および時間」を前記送信部が前記空気調和機本体に送信し、前記空気調和機本体がその「年月日および時間」を受信後、前記空気調和機本体の時間計測手段がその「年月日および時間」より電源周波数に基づいて時間計測を行い、前記リモコンからの「年月日および時間」の設定がされず、かつ送信されてくる現在の「年月日および時間」が前記空気調和機本体の時間計測手段が計測している現在の「年月日および時間」と異なる場合には、前記空気調和機本体の時間計測手段が計測している現在の「年月日および時間」を前記リモコンに送信し、前記リモコンはその時間計測手段が計測している現在の「年月日および時間」を前記空気調和機本体からの現在の「年月日および時間」に補正するようにしたものである。
【発明の効果】
【０００７】
本発明の空気調和機においては、リモコンはその時間設定手段が設定し、時間計測手段が時間計測を行った「年月日および時間」を送信部が空気調和機本体に送信し、空気調和機本体がその「年月日および時間」を受信後、空気調和機本体の時間計測手段がその「年月日および時間」より電源周波数に基づいて時間計測を行い、リモコンから「年月日および時間」の設定がされず、かつ送信されてくる現在の「年月日および時間」が空気調和機本体の時間計測手段が計測している現在の「年月日および時間」と異なる場合には、空気調和機本体の時間計測手段が計測している現在の「年月日および時間」をリモコンに送信し、リモコンはその時間計測手段が計測している現在の「年月日および時間」を空気調和機本体からの現在の「年月日および時間」に補正するようにしたので、リモコンで計測している「年月日および時間」を自動的に補正することができ、安価な空気調和機を得ることができるという効果を有する。
【発明を実施するための最良の形態】
【０００８】
実施の形態１．
図１は本発明の実施の形態１の空気調和機の構成を示すブロック図、図２は同空気調和機の空気調和機本体のフローチャート、図３は同空気調和機のリモコンのフローチャートである。
図１において、本発明の実施の形態１の空気調和機は、空気調和機本体１とリモコン２とから構成されている。
空気調和機本体１は、電源周波数を取り込む電源周波数取込手段３と、リモコン２から送信された初期設定時の「年月日および時間」又は「月日および時間」（以下、「年月日および時間」と称する）より電源周波数取込手段３が取り込んだ電源周波数に基づいて時間計測を行う時間計測手段４と、時間計測手段４により時間計測された現在の「年月日および時間」とリモコン２から送信された現在の「年月日および時間」とを比較し、両者が異なる場合に空気調和機本体１の時間計測手段４が計測している現在の「年月日および時間」を送信する送信部６と、リモコン２から送信された「年月日および時間」を受信する受信部７とで構成されている。
【０００９】
リモコン２は、空気調和機の使用者が「年月日および時間」の設定を行うための時間設定手段９と、時間設定手段９にて設定された「年月日および時間」より時間計測を行う時間計測手段１０と、時間計測手段１０にて計測された時間を送信する送信部８と、時間計測手段１０にて計測された時間を表示する時間表示手段１１と、空気調和機本体１の送信部６から送られた「年月日および時間」を受信する受信部１２とで構成されている。
【００１０】
次に、空気調和機の空気調和機本体１の動作について図２のフローチャートに基づいて説明する。
まず、空気調和機本体１に電源を投入してスタートする（ステップＳ１）。次に、時間計測を行うために、電源取込手段３により電源周波数を取り込み、その電源周波数を時間計測手段４に送る（ステップＳ２）。
そして、初期設定としてリモコン２において時間設定手段９により「年月日および時間」を設定した場合に、その設定された「年月日および時間」に基づいて時間計測手段１０が時間計測を行った「年月日および時間」と時間設定を行ったことを示す時間設定ｂｉｔを“１”としてリモコン２の送信部８から送信され、それを受信部７で受信した空気調和機本体１では、時間計測手段４でリモコン２から送信された時間設定ｂｉｔの状態と「年月日および時間」を受け取ったか否かの確認を行う（ステップＳ３）。
【００１１】
時間計測手段４で時間設定ｂｉｔ１の状態と「年月日および時間」を受け取ったことを確認したら、時間計測手段４は「年月日および時間」より電源周波数に基づいて時間計測を開始する（ステップＳ４）。こうして、空気調和機本体１においてリモコン２の初期設定による時間計測が開始される。
空気調和機本体１の時間計測手段４で時間設定ｂｉｔの状態と「年月日および時間」を受け取らない、即ち、リモコン２において「年月日および時間」の設定がなされていない場合には、時間設定ｂｉｔ＝０となる。その時間設定ｂｉｔ＝０の場合には、時間設定がなされるまで「年月日および時間」の計測開始は行われないことになる。
【００１２】
このように、空気調和機本体１においてリモコン２の初期設定による時間計測が開始され、継続している状態の場合に、リモコン２からの時間設定ｂｉｔ＝０かつ「年月日および時間」を受信したか否かの確認を行う（ステップＳ５）。
このとき、時間設定ｂｉｔ＝１を受信した場合には、ステップＳ３に戻り、ステップＳ４にて時間計測を行う。時間設定ｂｉｔ＝０の場合は次のステップに移行する。
ここで、リモコン２から送信される時間設定ｂｉｔ＝０かつ「年月日および時間」とは、リモコン２で時間の再設定は行われないが、リモコン２において例えば冷房から除湿等の運転モードを変更した場合にはリモコン２の時間計測手段１０が時間計測している現在の「年月日および時間」をリモコン２が送信することをいう。
【００１３】
リモコン２からの時間設定ｂｉｔ＝０かつ「年月日および時間」を受信したことを確認した空気調和機本体１の時間比較手段５では、空気調和機本体１の時間計測手段４が時間計測している現在の「年月日および時間」とリモコン２から送信された現在の「年月日および時間」との比較を行う（ステップＳ６）。
そして、時間比較手段５は比較した結果、両者が同一の場合は、ステップＳ５に戻り（ステップＳ７）、両者が異なる場合には、空気調和機本体１の時間計測手段４が時間計測している現在の「年月日および時間」を送信部６からリモコン２に送信する（ステップＳ７）。
【００１４】
このように、時間比較手段５は比較した結果、両者が異なる場合が生じるのは、空気調和機本体１の方は初期設定時にリモコン２から送信された「年月日および時間」より電源周波数に基づいて時間計測手段４が時間計測を行っているため、比較的正確な時間計測が行えるのに対し、リモコン２の方は時間設定手段９により設定された「年月日および時間」より時間計測手段１０が発振子に基づいて時間計測を行っているため、発振子自体に多少の誤差があることにより所定時間が経過すると時間計測に狂いが生じてくる。そのため両者の時間計測が異なることになる。
従って、両者が異なる場合、空気調和機本体１の方の時間計測が正確であるため、リモコン２の時間計測を補正するために、空気調和機本体１の時間計測手段４が時間計測している現在の「年月日および時間」を送信部６からリモコン２に送信することとしたのである。
【００１５】
次に、空気調和機のリモコン２の動作について図３のフローチャートに基づいて説明する。
まず、リモコン２に電池を取り付けてスタートする（ステップＳ１１）。
次に、リモコン２の時間設定手段９にて、いわゆる初期設定である現在の「年月日および時間」を設定する（ステップＳ１２）。なお、ここで、時間設定手段９による「年月日および時間」の設定をしない場合でも空気調和機本体１の使用は可能である。このとき、空気調和機本体１には、「年月日および時間」の設定がなされていないことを送信するために、リモコン２から時間設定ｂｉｔ＝０を空気調和機本体１に送信する（ステップＳ２０）。
また、リモコン２で「年月日および時間」の設定がなされていないため、リモコン２の時間表示手段１１に「年月日および時間」が表示されず（ステップＳ２１）、ステップＳ１２に戻る。
【００１６】
ステップＳ１２で時間設定手段９による現在の「年月日および時間」が設定されると、リモコン２の時間表示手段１１に設定された「年月日および時間」が表示される（ステップＳ１３）。
次に、リモコン２の送信部８は時間計測手段１０による時間設定ｂｉｔ＝１かつ「年月日および時間」を送信する（ステップＳ１４）。
以降、リモコン２を使用するたびに「年月日および時間」を設定することは少ないと考えられるが、リモコン２で「年月日および時間」を設定、いわゆる再設定したか否かの確認を行う（ステップＳ１５）。ここで、再設定した場合には、ステップＳ１３に戻って再度処理を繰り返すこととなる。
リモコン２で「年月日および時間」を再設定しない場合は、リモコン２の送信部８は時間計測手段１０による時間設定ｂｉｔ＝０かつリモコンにて計測している「年月日および時間」を空気調和機本体１に送信する（ステップＳ１６）。
【００１７】
リモコン２からの時間設定ｂｉｔ＝０かつ「年月日および時間」を空気調和機本体１が受信すると、空気調和機本体１では、図２のフローチャートのステップＳ５，Ｓ６の処理を行う。そして、リモコン２と空気調和機本体１とで各々計測している「年月日および時間」が異なれば、空気調和機本体１は図２のフローチャートのステップＳ８の処理（即ち、空気調和機本体１の時間計測手段４が計測している現在の「年月日および時間」をリモコン２に送信する処理）を行う。
そこで、リモコン２では、図３のフローチャートに示すように、空気調和機本体１から「年月日および時間」を受信したか否かの確認を行う（ステップＳ１７）。
リモコン２が、空気調和機本体１より「年月日および時間」を受信していない場合は、ステップＳ１５の処理に戻ることとする。
リモコン２が、空気調和機本体１より「年月日および時間」を受信している場合は、受信した「年月日および時間」をリモコン２に再設定し（ステップＳ１８）、再設定した「年月日および時間」に基づいて時間計測手段１０が時間計測する。
また、リモコン２の時間表示手段１１に表示している「年月日および時間」も空気調和機本体１から受信した「年月日および時間」に変更する（ステップＳ１９）。
【００１８】
以上のように、一度リモコン２で時間を設定後、リモコン２の「年月日および時間」が実際の「年月日および時間」と異なっても、空気調和機本体１で計測している「年月日および時間」をリモコン２に送信することで、リモコン２の「年月日および時間」を自動的に補正することができるため、実際の「年月日および時間」と異なることがないようにすることができる。
また、一度リモコン２より「年月日および時間」を設定した後、リモコン２の電池交換を実施した場合、リモコン２の「年月日および時間」の設定を行わなかった場合にも、空気調和機本体１から「年月日および時間」が送信されてくるために、電池交換のたびにリモコン２の「年月日および時間」を設定する必要がない。
【００１９】
実施の形態２．
図４は本発明の実施の形態２の空気調和機の構成を示すブロック図である。
この実施の形態２は、空気調和機本体１にリモコン２から送信された初期設定の「年月日および時間」を記憶する記憶部１５を設けている。
従って、時間比較手段５が記憶部１５に記憶された初期設定の「年月日および時間」と時間計測手段４が時間計測している現在の「年月日および時間」とから空気調和機の現在の使用期間または運転時間を空気調和機本体１が計測することができる。
そして、時間比較手段５が計測した現在の空気調和機の使用期間または運転時間をリモコン２に送信することにより、リモコン２の時間表示手段１１にその空気調和機の現在の使用期間または運転時間を表示するので、空気調和機を使用している人が空気調和機の寿命または使用年数を確認することができる。 
【００２０】
また、上記記憶手段１５には初期設定の「年月日および時間」の他に、予め事前設定された使用期間又は運転時間を記憶させておくことにより、時間比較手段５が記憶部１５に記憶された事前設定された使用期間又は運転時間に時間計測手段４が時間計測している現在の「年月日および時間」が達したと判断したときには、その達した使用期間又は運転時間をリモコン２に送信することにより、リモコン２の時間表示手段１１にその達した使用期間又は運転時間を表示するので、空気調和機を使用している人が空気調和機の寿命または使用年数に達したことを確認することができる。
【図面の簡単な説明】
【００２１】
【図１】本発明の実施の形態１の空気調和機の構成を示すブロック図。
【図２】同空気調和機の空気調和機本体のフローチャート。
【図３】同空気調和機のリモコンのフローチャート。
【図４】本発明の実施の形態２の空気調和機の構成を示すブロック図。
【符号の説明】
【００２２】
１  空気調和機本体、２  リモコン、３  電源周波数取込手段、４  時間計測手段、５  時間比較手段、６  送信部、７  受信部、８  送信部、９  時間設定手段、１０  時間計測手段、１１  時間表示手段、１２  受信部。
【図１】
2010060380.tif 000003
【図２】
2010060380.tif 000004
【図３】
2010060380.tif 000005
【図４】
2010060380.tif 000006